(57)【要約】【課題】オンラインとオフラインとが組み合わせられたミニサッカーゲームの実現方法【解決手段】オンラインとオフラインとが組み合わせられたミニサッカーゲームの実現方法は少なくとも、試合用競技場（１）を設置するステップと、競技場（１）には、リアルタイムに試合データを収録する機能と、試合のデータ結果に対して統計を行う機能と、インターネットに接続してデータをアップロードする機能とを有する端末デバイスが設けられるステップと、少なくとも記憶モジュールと、無線伝送モジュールと、ダウンロードされて、編集されることが可能なアプリケーションプログラムとを有し、無線伝送モジュールが記憶モジュールに接続し、無線伝送モジュールがインターネットによって端末デバイスに接続し、アプリケーションプログラムには少なくとも申込用装置を含む、少なくとも１つのサーバーを備えるステップと、を含む。【選択図】図１
2016515248.tif 000002
【特許請求の範囲】
【請求項１】
オンラインとオフラインとが組み合わせられたミニサッカーゲームの実現方法であって、前記方法は少なくとも、
平面の競技場であって、かつ２つのゴールを有する試合用の前記競技場を設置するステップと、
前記競技場には、リアルタイムに試合データを記録する機能と、前記サッカー試合のデータ結果に対して統計処理を行う機能と、インターネットに接続してデータをアップロードする機能と、を有する端末デバイスが設けられるステップと、
少なくとも記憶モジュール、無線伝送モジュール、およびダウンロードされて、編集されることが可能なアプリケーションプログラムを含み、前記無線伝送モジュールが前記記憶モジュールに接続し、前記無線伝送モジュールがインターネットによって前記端末デバイスに接続し、前記アプリケーションプログラムには少なくとも申込用装置を含む、少なくとも１つのサーバーを備えるステップと、
を含むことを特徴とするオンラインとオフラインとが組み合わせられたミニサッカーゲームの実現方法。
【請求項２】
前記競技場には申し込むための端末デバイスがさらに設けられることを特徴とする請求項１に記載のオンラインとオフラインとが組み合わせられたミニサッカーゲームの実現方法。
【請求項３】
前記端末デバイスは前記アプリケーションプログラムをダウンロードして、かつ前記申込用装置における申し込み情報を編集し、その後にインターネットによって前記申し込み情報を前記サーバーに送信することを特徴とする請求項１又は２に記載のオンラインとオフラインとが組み合わせられたミニサッカーゲームの実現方法。
【請求項４】
前記競技場はフレキシブル材を側壁とし、かつ円環状を呈する密閉領域であり、２つの前記ゴールがそれぞれ前記密閉領域の両端に位置することを特徴とする請求項１に記載のオンラインとオフラインとが組み合わせられたミニサッカーゲームの実現方法。
【請求項５】
前記端末デバイスは少なくとも前記サッカー試合に対する採点機能、計時機能、および撮像機能を有し、前記採点機能、計時機能が前記サッカー試合のデータ結果を記録することに用いられ、前記撮像機能が前記サッカー試合の試合ビデオを撮影することに用いられ、前記端末デバイスが前記インターネットによって前記データ結果・試合ビデオを前記サーバーにアップロードすることに用いられることを特徴とする請求項１に記載のオンラインとオフラインとが組み合わせられたミニサッカーゲームの実現方法。
【請求項６】
前記データ結果は少なくとも前記サッカー試合の得点回数と、股抜き（nutmeg）回数と、ファウル回数と、を含むことを特徴とする請求項５に記載のオンラインとオフラインとが組み合わせられたミニサッカーゲームの実現方法。
【発明の詳細な説明】
【技術分野】
【０００１】
本発明はスポーツ分野に関し、具体的には、オンラインとオフラインとが組み合わせられたミニサッカーゲームの実現方法に関する。
【背景技術】
【０００２】
現在、サッカーは全世界の体育界において最も影響力のあるスポーツであり、世界一番人気な運動であるとも言われれる。かつ、サッカー項目は世界各国には広く普及されている。該運動は人類の各運動の特徴を有し、面白くて試合性が強く、参加する過程において身体素質を訓練して向上させると同時に、チームに参加することで人々の間の友情を培うことができる。
【０００３】
しかしながら、経済発展の高度成長に伴って、多くの高いビルが我々の昔の運動場に代わり、ボールを蹴る空間がますます少なくなり、小さくなっている。競技場を見つけられない場合、サッカーをあきらめなければならないことがよく見られる。そのため、国内外の都市においてストリートサッカーという運動が登場しており、それが個人のスキルを見せるサッカーのプレイ方法である。ストリートサッカーは従来のサッカー試合に比べて、有効的に統一・組織化して、計画することができないため、参加者の募集、競技場の選択、試合規則などにおける問題がある。例えば、参加者は時間を統一する必要があり、一時的に緊急事態が発生すると、正常に試合することができない。競技場を借りる必要があり、予約する必要がある。ストリートサッカーのプレイ方法が異なり、規則を統一することができないため、人々がこの試合に正常に参加できなくて、プレイすることをあきらめる。現在、人々がサッカーによる面白さを楽しむことができる、オンラインとオフラインとが組み合わせられたサッカー試合は存在しない。
【発明の概要】
【発明が解決しようとする課題】
【０００４】
本発明の目的は上記従来技術の欠点に基づいて、オンラインとオフラインとが組み合わせられたミニサッカーゲームの実現方法を提供することである。該方法は予め端末デバイスによってサーバーに申し込み情報を提出し、或いは競技場現場の端末デバイスによって申し込みを行う方法を提供し、かつ競技場で試合する前に随時構築し、試合の終了後に簡単に片付けることができ、人々はサッカーによる面白さを楽しむことができる。
【課題を解決するための手段】
【０００５】
本発明の目的の実現は下記技術手段によって完成する。
【０００６】
オンラインとオフラインとが組み合わせられたミニサッカーゲームの実現方法であって、前記方法は少なくとも、
平面の前記競技場であって、かつ２つのゴールを有する試合用の前記競技場を設置するステップと、
前記競技場には、リアルタイムに試合データを収録する機能と、前記サッカー試合のデータ結果に対して統計を行う機能と、インターネットに接続してデータをアップロードする機能と、を有する端末デバイスが設けられるステップと、
少なくとも記憶モジュールと、無線伝送モジュールと、身元識別モジュールと、ダウンロードして、編集されることが可能なアプリケーションプログラム又は身元識別情報と、を含み、前記無線伝送モジュールが前記身元識別モジュールおよび前記記憶モジュールに接続し、前記無線伝送モジュールがインターネットによって前記端末デバイス又は前記身元識別情報に接続し、前記アプリケーションプログラムには少なくとも１つの申込用装置を含み、前記アプリケーションプログラム又は前記身元識別情報がそれぞれ前記インターネットによって前記身元識別モジュールと接続を構成する、少なくとも１つのサーバーを備えるステップと、を含むことを特徴とする。
【０００７】
前記競技場には前記アプリケーションプログラムを有する端末デバイス又はいくつかの前記身元識別情報が設けられている。
【０００８】
前記端末デバイスは前記アプリケーションプログラムをダウンロードして前記申込用装置における申し込み情報を編集し、その後にインターネットによって前記申し込み情報を前記サーバーに送信する。
【０００９】
前記競技場はフレキシブル材を側壁とし、かつ円環状を呈する密閉領域であり、２つの前記ゴールがそれぞれ前記密閉領域の両端に位置している。
【００１０】
前記端末デバイスは少なくとも前記サッカー試合に対する採点機能、計時機能、撮像機能を有している。前記採点機能、計時機能は前記サッカー試合のデータ結果を記録することに用いられ、前記撮像機能が前記サッカー試合の試合ビデオを撮影することに用いられ、前記端末デバイスが前記インターネットによって前記データ結果・試合ビデオを前記サーバーにアップロードすることに用いられる。
【００１１】
前記データ結果は少なくとも前記サッカー試合の得点回数、股抜き（nutmeg）回数、およびファウル回数を含む。
【００１２】
前記アプリケーションプログラム又は前記身元識別情報は前記サッカー試合の参加者の個人情報を含む。
【００１３】
前記身元識別情報は前記個人情報を含む二次元コード（QR code）又はあらかじめ前記記憶モジュールに記憶して前記個人情報に対応する個人番号である。
【００１４】
本発明のメリットは、申し込み方式が簡単であり、多様であり、普及しやすいことである。競技場は大きな競技場サッカー試合用競技場を相似形に縮小されたものであり、大きな競技場の試合にマッチすることができ、競技場に対する制限要求が小さくなり、普及しやすい。参加者がオフライン（現実）で試合し、オンラインで試合結果を統計処理し、競技場、サッカー試合、ネットワークを相互に組み合わせた新型のサッカー試合である。
【００１５】
このサッカー試合は無線、自由、スキル、音楽などを組み合わせたサッカープレイ方法であって、多くの人々の生活になじみやすく、多くの人に愛され、サッカー市場のポテンシャル（潜在力）を引き出し、多くの優れた予備選手を培うことができ、サッカー分野において多くの新しい人材を培う。
【図面の簡単な説明】
【００１６】
【図１】図１は本発明のフローチャートである。
【図２】図２は本発明のもう１つのフローチャートである。
【図３】図３は本発明の競技場の構成を示す模式図である。
【発明を実施するための形態】
【００１７】
以下、当業者が理解するために、図面に合わせて実施例によって本発明の特徴およびそのほかの関連特徴をさらに詳しく説明する。
【００１８】
図１乃至３に示すように、図において表記１乃至３がそれぞれ競技場１、側壁２、およびゴール３である。
【００１９】
実施例一：本実施例におけるミニサッカーゲームのオンラインとオフラインとの結合は、参加者がオンラインで申し込み、その後にオフラインで現場試合を行い、続いて試合結果をオンラインにアップロードして結果の統計処理および順位付けを行うことによって実現する。例えば、試合は参加者が競技場において一対一又は二対二の試合を行い、試合時間が３分間であり、得点すると、２点とカウントされ、股抜き（nutmeg）すると、１点とカウントされ、通常は、点数が多いと勝利する。しかし、参加者の一方が股抜き（nutmeg）して、かつボールが競技場の辺縁に当たる前にボールをコントロールすると、すぐ勝利するようにしてもよい。
【００２０】
図１に示すように、上記ミニサッカーゲームの実現方法は具体的には以下のステップを含む。
【００２１】
前記サッカーゲームの競技場を選択して構築する。図３に示すように、最も基本的な要求は画定された平地において競技場１を作成し、かつ競技場１には２つのゴール３が設けられる。コートの周囲を、止め板、スクリーン又はそのほかのフレキシブル材を側壁２として取り囲むことができると、効果がよりよくなる。このように、参加者が規定の領域において試合を行い、参加者のボールコントロールスキルを絶えず訓練し、他方、参加者が競技場の辺縁にぶつかって引き起こす衝撃を低下させ、身体傷害を避ける。
【００２２】
サーバーを配備し、該サーバーがミニサッカーゲーム情報全体を記録する記憶ユニットとして、記憶機能、インターネット伝送機能、およびダウンロードして、編集されることが可能なアプリケーションプログラム（即ち、APP)又は身元識別情報を有している。該アプリケーションプログラムは、まずサッカー試合の申し込み機能を有することができ、参加者ごとの端末デバイス(例えば、携帯電話、タブレットＰＣ、ノートパソコンなど)にダウンロードされる。インターネット伝送機能はインターネットの無線データ伝送によって参加者ごとに該アプリケーションプログラムによって編集された申し込み情報を受信してサーバー内部に記憶し、その結果、参加者のオンライン申し込みを実現する。該申し込み情報はさらに参加者ごとの個人情報を含み、参加者が個人番号を管理することで対応する個人情報を編集することができる。参加者がアプリケーションプログラムによって試合を申し込む必要がある時に、その個人番号でログインして対応する操作を行うことができる。身元識別情報は個人情報を含む二次元コードであっでもよい。参加者がその個人情報に対応する二次元コードを試合現場に持ち運んだ時に、試合現場において設けられた端末デバイスによって二次元コードをスキャンすることで、サーバーにおいて該参加者の個人情報（参加情報、審判情報、およびレベル情報などを含む）でログインして後続の試合、結果の処理作業を便利にする。使用者が身元識別情報をどのような競技場にも携帯することができ、競技場における二次元コードスキャンデバイスを利用して試合申し込み、結果処理などを行うことができ、参加者が競技場および対応する試合を自在に選択することを便利にする。
【００２３】
サッカー試合の競技場１箇所ごとにおいて該サーバーと無線データ交換を構成する端末デバイスが設けられ、該端末デバイスが本実施例において前記サッカー試合のデータ結果に対して統計処理を行う機能を有し、それと同時にインターネットに接続してデータをアップロードする機能を有するデバイスを指す。該デバイスは審判デバイスに相当し、無線伝送機能や、採点機能、計時機能、撮像機能などの各種機能を有する端末デバイスである。審判は採点機能、計時機能を使用して競技場１箇所におけるサッカー試合情報を記録し、例えば、得点すると、２点とカウントされ、股抜き（nutmeg）すると、１点とカウントされる結果規則に従う。撮像機能が試合ビデオを撮影することに用いられ、無線伝送機能が採点、および採点することで得られた勝敗関係、試合ビデオを共にサーバーに伝送し、サーバーがデータを更新することを便利にする。また、無線伝送機能は試合ビデオをビデオウェブサイト、マイクロブログなどのそのほかのネットワーク媒体にアップロードし、ネットワークインタラクティブを実現することができる。
【００２４】
実施例二：本実施例の実施例一との相違は、図２に示すように、競技場１箇所ごとに申し込むためのデバイスがさらに設けられ、申し込みデバイスが、即ち、申し込み機能を有する端末デバイスであり、該申し込み機能がサーバーにおけるAPPをダウンロードすることで実現することである。また、ここで申し込みデバイスを設置して参加者のオフライン申し込みを実現し、この運動を普及させる。
【００２５】
上記実施例を具体的に実施する場合：
サーバーにおいてダウンロード可能なアプリケーションプログラムは申し込み、審判、撮像機能を一体に集約することができ、選手が申し込むと、自動的にマイクロブログを生成する。審判は端末デバイスにおけるキーをクリックするだけで試合を実行することができる。得点、股抜き（nutmeg）、ファウルなどの動作は明確な採点の統計処理を行われる。画面撮像はビデオウェブサイトにアップロードすることができ、使用が便利であり、人力、物力資源を最大限度に節約する。また、アプリケーションプログラムは参加人数、試合セッション、試合持続時間などのデータを統計処理することができる。個人の参加セッション、勝ち、引き分け、負けなどの情報を詳しく記録する。
【００２６】
試合現場は競技場の以外に、参加者に対して視聴覚体験する装置を配備し、音響と大型スクリーンを設置することを含み、音響に音楽を放送し、大型スクリーンにはリアルタイムに競技場における試合情報を放送することで、オンラインとオフラインとが組み合わせられた、科学に組み合わせられたネットワークゲームを構成する。
【００２７】
試合データが即時にネットワークにアップロードされ、ネットワークにおいて参加者の順位付けを表示する。参加者ごとに自分のページを有し、サーバーにおいてそのほかのユーザとソーシャル・ネットワークにおける繋がりの形成、予約対戦などを行うことができる。サーバーにおける参加者は試合成績に基づいて等級（レベル）付け、試合成績の向上に伴って等級が増加し、このようなゲーム方式を採用して成長を刺激し、試合競技場の増加、個人技術の向上に伴って、選手の等級がますます高くなり、青年を培う特別の楽しい運動方式を構成する。
【図１】
2016515248.tif 000003
【図２】
2016515248.tif 000004
【図３】
2016515248.tif 000005
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
オンラインとオフラインとが組み合わせられたミニサッカーゲームの実現方法であって、前記ミニサッカーゲームは、競技場において参加選手が１人対１人、２人対２人、3人対3人、4人対4人、或いは5人対5人でゲームを行うことであり、
前記方法は少なくとも、
平面の前記競技場であって、かつ２つのゴールを有する試合用の前記競技場を設置するステップと、
前記競技場には、リアルタイムに試合データを記録する機能と、前記サッカー試合のデータ結果に対して統計処理を行う機能と、インターネットに接続してデータをアップロードする機能と、を有する端末デバイスが設けられるステップと、
少なくとも記憶モジュール、無線伝送モジュール、およびダウンロードされて、編集されることが可能なアプリケーションプログラムを含み、前記無線伝送モジュールが前記記憶モジュールに接続し、前記無線伝送モジュールがインターネットによって前記端末デバイスに接続し、前記アプリケーションプログラムには少なくとも申込用装置を含む、少なくとも１つのサーバーを備えるステップと、
を含むことを特徴とするオンラインとオフラインとが組み合わせられたミニサッカーゲームの実現方法。
【請求項２】
前記競技場には申し込むための端末デバイスがさらに設けられることを特徴とする請求項１に記載のオンラインとオフラインとが組み合わせられたミニサッカーゲームの実現方法。
【請求項３】
前記端末デバイスは前記アプリケーションプログラムをダウンロードして、かつ前記申込用装置における申し込み情報を編集し、その後にインターネットによって前記申し込み情報を前記サーバーに送信することを特徴とする請求項１又は２に記載のオンラインとオフラインとが組み合わせられたミニサッカーゲームの実現方法。
【請求項４】
前記競技場はフレキシブル材を側壁とし、かつ円環状を呈する密閉領域であり、２つの前記ゴールがそれぞれ前記密閉領域の両端に位置することを特徴とする請求項１に記載のオンラインとオフラインとが組み合わせられたミニサッカーゲームの実現方法。
【請求項５】
前記端末デバイスは少なくとも前記サッカー試合に対する採点機能、計時機能、および撮像機能を有し、前記採点機能、計時機能が前記サッカー試合のデータ結果を記録することに用いられ、前記撮像機能が前記サッカー試合の試合ビデオを撮影することに用いられ、前記端末デバイスが前記インターネットによって前記データ結果・試合ビデオを前記サーバーにアップロードすることに用いられることを特徴とする請求項１に記載のオンラインとオフラインとが組み合わせられたミニサッカーゲームの実現方法。
【請求項６】
前記データ結果は少なくとも前記サッカー試合の得点回数と、股抜き（nutmeg）回数と、ファウル回数と、を含むことを特徴とする請求項５に記載のオンラインとオフラインとが組み合わせられたミニサッカーゲームの実現方法。
【手続補正２】
【補正対象書類名】明細書
【補正対象項目名】０００６
【補正方法】変更
【補正の内容】
【０００６】
オンラインとオフラインとが組み合わせられたミニサッカーゲームの実現方法であって、前記方法は少なくとも、
前記ミニサッカーゲームは、競技場において参加選手が１人対１人、２人対２人、3人対3人、4人対4人、或いは5人対5人でゲームを行うことであり、
平面の前記競技場であって、かつ２つのゴールを有する試合用の前記競技場を設置するステップと、
前記競技場には、リアルタイムに試合データを収録する機能と、前記サッカー試合のデータ結果に対して統計を行う機能と、インターネットに接続してデータをアップロードする機能と、を有する端末デバイスが設けられるステップと、
少なくとも記憶モジュールと、無線伝送モジュールと、身元識別モジュールと、ダウンロードして、編集されることが可能なアプリケーションプログラム又は身元識別情報と、を含み、前記無線伝送モジュールが前記身元識別モジュールおよび前記記憶モジュールに接続し、前記無線伝送モジュールがインターネットによって前記端末デバイス又は前記身元識別情報に接続し、前記アプリケーションプログラムには少なくとも１つの申込用装置を含み、前記アプリケーションプログラム又は前記身元識別情報がそれぞれ前記インターネットによって前記身元識別モジュールと接続を構成する、少なくとも１つのサーバーを備えるステップと、を含むことを特徴とする。
【国際調査報告】
2016515248.tif 000006
2016515248.tif 000007
2016515248.tif 000008
2016515248.tif 000009